(57)【要約】【課題】  更に安定した電流を供給され得るＯＬＥＤ表示装置を提供する。【解決手段】  ＯＬＥＤ表示装置は、電流源２１０及びＯＬＥＤ等価モジュール２２０を有する。電流源は、第１の制御器２１１と、２つのバイアス供給源ＶＨ２及びＶＨ３と、２つのＰＭＯＳトランジスタＱ２及びＱ３とを有する。電流源２１０は、ＯＬＥＤ等価モジュール２２０が光を放射することを可能にするよう、ＯＬＥＤ等価モジュール２２０へ電流を出力する。【選択図】      図２
0003130160.tif 000002
【実用新案登録請求の範囲】
【請求項１】
高出力インピーダンスを有する有機発光ダイオード（ＯＬＥＤ）表示装置であって、
ゲートと、第１ノードと、第２ノードとを有する第１のＭＯＳトランジスタ、
ゲートと、前記第１のＭＯＳトランジスタの第２ノードへ結合された第１ノードと、第２ノードとを有し、高インピーダンスを提供する第２のＭＯＳトランジスタ、
前記第１のＭＯＳトランジスタのゲートへ結合され、前記第１のＭＯＳトランジスタを流れる電流を制御する制御信号を供給する第１の制御器、
前記第２のＭＯＳトランジスタのゲートへ結合され、前記第２のＭＯＳトランジスタのゲートへ第１の電圧を供給する第１の電圧源、及び
前記第１のＭＯＳトランジスタの第１ノードへ結合され、前記第１のＭＯＳトランジスタへ第２の電圧を供給する第２の電圧源、を有する電流源と、
前記第２のＭＯＳトランジスタの第２ノードへ結合され、前記第２のＭＯＳトランジスタを流れる電流に従って光を発生させるＯＬＥＤ等価モジュールとを有することを特徴とする表示装置。
【請求項２】
前記ＯＬＥＤ等価モジュールと接地ノードとの間に結合され、オン又はオフとするよう前記ＯＬＥＤ等価モジュールを制御するスイッチを更に有する、ことを特徴とする請求項１記載の表示装置。
【請求項３】
前記第１のＭＯＳトランジスタ及び前記第２のＭＯＳトランジスタは、飽和領域で動作する、ことを特徴とする請求項１記載の表示装置。
【請求項４】
前記第１のＭＯＳトランジスタは、Ｐ形ＭＯＳトランジスタである、ことを特徴とする請求項１記載の表示装置。
【請求項５】
前記第２のＭＯＳトランジスタは、Ｐ形ＭＯＳトランジスタである、ことを特徴とする請求項１記載の表示装置。
【請求項６】
前記ＯＬＥＤは、
前記第２のＭＯＳトランジスタの第２ノードへ結合された第１の抵抗と、
接地ノードへ結合された第２の抵抗と、
前記第１の抵抗と前記第２の抵抗との間に結合されたコンデンサと、
前記第１の抵抗と前記第２の抵抗との間に結合され、当該ＯＬＥＤを流れる電流に従って光を放射するＯＬＥＤとを有する、ことを特徴とする請求項１記載の表示装置。
【考案の詳細な説明】
【技術分野】
【０００１】
本考案は、ＯＬＥＤ表示装置に関し、更に具体的には、高出力インピーダンスを有するＯＬＥＤ表示装置に関する。
【背景技術】
【０００２】
図１を参照する。図１は、従来のＯＬＥＤ表示装置１００を表す回路図である。ＯＬＥＤ表示装置１００は、電流源１１０と、ＯＬＥＤ等価モジュール１２０とを有する。電流源１１０は、電圧源ＶＨと、制御器１１１と、Ｐ形トランジスタＱ１とを有する。ＯＬＥＤ等価モジュール１２０は、抵抗Ｒ１及びＲ２と、ＯＬＥＤ  Ｄ１と、等価コンデンサＣ１とを有する。電圧源ＶＨは、飽和領域でＰ形トランジスタＱ１にバイアスをかける。電流源１１０は、制御器１１１によって、Ｐ形トランジスタＱ１のゲートへ制御電圧Ｖ１を入力して、電流Ｉ１を制御する。理論上、電流源の出力抵抗は無限であるべきであり、従って、電流へ結合される負荷が何であろうとも、電流源の安定性及び出力能力は影響を及ぼされない。実際には、従来の電流源１１０は、Ｒｄの抵抗を有する等価出力抵抗を有する。従って、ＯＬＥＤ等価モジュール１２０が電流源１１０と重複する場合に、即ち、ＯＬＥＤ等価モジュール１２０の等価負荷抵抗が抵抗Ｒｄと比べて無視されない場合に、電流Ｉ１は影響を受け、電流Ｉ１の大きさは理想的な状態から変化させられる。従って、ルーメンは、ＯＬＥＤ表示装置のいずれの場所でも等しいわけではない。
【考案の開示】
【考案が解決しようとする課題】
【０００３】
従って、本考案は、前出の問題を解決するＯＬＥＤ表示装置を提供することを目的とする。
【課題を解決するための手段】
【０００４】
本考案は、高出力インピーダンスを有する有機発光ダイオード（ＯＬＥＤ）表示装置であって、ゲートと、第１ノードと、第２ノードとを有する第１のＭＯＳトランジスタ、ゲートと、前記第１のＭＯＳトランジスタの第２ノードへ結合された第１ノードと、第２ノードとを有し、高インピーダンスを提供する第２のＭＯＳトランジスタ、前記第１のＭＯＳトランジスタのゲートへ結合され、前記第１のＭＯＳトランジスタを流れる電流を制御する制御信号を供給する第１の制御器、前記第２のＭＯＳトランジスタのゲートへ結合され、前記第２のＭＯＳトランジスタのゲートへ第１の電圧を供給する第１の電圧源、及び前記第１のＭＯＳトランジスタの第１ノードへ結合され、前記第１のＭＯＳトランジスタへ第２の電圧を供給する第２の電圧源、を有する電流源、並びに、前記第２のＭＯＳトランジスタの第２ノードへ結合され、前記第２のＭＯＳトランジスタを流れる電流に従って光を発生させるＯＬＥＤ等価モジュールを有することを特徴とする表示装置を提供する。
【０００５】
本考案のこれら及び他の目的が、様々な形状及び図面で表される好ましい実施例に関する以下の詳細な記載を読むことで当業者に理解され得ることは言うまでもない。
【考案の効果】
【０００６】
本考案により、従来技術の問題を解決するＯＬＥＤ表示装置を提供することが可能である。
【考案を実施するための最良の形態】
【０００７】
図２を参照する、図２は、本考案のＯＬＥＤ表示装置２００を表す回路図である。ＯＬＥＤ表示装置２００は、電流源２１０と、ＯＬＥＤ等価モジュール２２０と、第２の制御器２４０と、スイッチ２３０とを有する。電流源２１０は、第１の制御器２１１と、２つの電圧源ＶＨ２及びＶＨ３と、２つのＰ形トランジスタＱ２及びＱ３とを有する。ＯＬＥＤ等価モジュール２２０は、２つの抵抗Ｒ３及びＲ４と、ＯＬＥＤ  Ｄ２と、コンデンサＣ２とを有する。図２の電流源２１０で示されるように、第１の制御器２１１の出力ノードは、Ｐ形トランジスタＱ２のゲートへ結合され、Ｐ形トランジスタＱ２のソースは、電圧源ＶＨ２へ結合され、Ｐ形トランジスタＱ２のドレインは、Ｐ形トランジスタＱ３へ結合されている。Ｐ形トランジスタＱ３のゲートは、電圧源ＶＨ３へ結合され、Ｐ形トランジスタＱ３のソースは、Ｐ形トランジスタＱ２へ結合され、Ｐ形トランジスタＱ３のドレインは、ＯＬＥＤ等価モジュール２２０へ結合されている。ＯＬＥＤ等価モジュール２２０で、抵抗Ｒ３は、Ｐ形トランジスタＱ３のソースと、ＯＬＥＤ  Ｄ２の陽極との間に結合され、抵抗Ｒ４は、スイッチ２３０と、ＯＬＥＤ  Ｄ２の陰極との間に結合され、コンデンサＣ２は、抵抗Ｒ３とＲ４との間に結合され、ＯＬＥＤ  Ｄ２は、抵抗Ｒ３とＲ４との間に結合されている。第２の制御器２４０の出力ノードは、スイッチ２３０の制御ノードへ結合されており、スイッチ２３０は、接地と抵抗Ｒ４との間に結合されている。電圧源ＶＨ２及びＶＨ３は、飽和領域でＰ形トランジスタＱ２及びＱ３にバイアスをかける。電流源２１０は、電流Ｉ２を制御するために、第１の制御器２１１によってＰ形トランジスタＱ２のゲートへ制御電圧Ｖ２を入力する。更に、ＯＬＥＤ等価モジュール２２０は、電流Ｉ２の大きさに従って光を発生させる。ＯＬＥＤ表示装置２００の電流源２１０は、等価出力抵抗を有する。等価出力抵抗の抵抗はマイクロＲｄであって、従来のＯＬＥＤ表示装置の電流源の出力抵抗よりもずっと大きい。従って、本考案の電流源は、より高い負荷に対して使用可能であり、一方、負荷からの影響は、比較的より小さい。結果として、電流源２１０は、ＯＬＥＤ表示装置２００がより良い性能を有するように、ＯＬＥＤ表示装置２００へ更に安定した電流を供給する。
【０００８】
当業者には、本考案の技術を保ちながら当該装置及び方法に対して多数の変更及び変形を行うことが可能であるが容易に理解される。従って、本考案の開示は、添付の実用新案請求項の範囲によってしか制限されないと解釈されるべきである。
【図面の簡単な説明】
【０００９】
【図１】従来のＯＬＥＤ表示装置を表す回路図である。
【図２】本考案のＯＬＥＤ表示装置を表す回路図である。
【符号の説明】
【００１０】
１００，２００          ＯＬＥＤ表示装置
１１０．２１０          電流源
１２０，２２０          ＯＬＥＤ等価モジュール
１１１，２１１，２４０  制御器
２３０                  スイッチ
ＶＨ，ＶＨ２，ＶＨ３    電圧源
Ｑ１，Ｑ２，Ｑ３        Ｐ形トランジスタ
Ｒ１，Ｒ２，Ｒ３，Ｒ４  抵抗
Ｄ１，Ｄ２              ＯＬＥＤ
Ｃ１，Ｃ２              コンデンサ
【図１】
0003130160.tif 000003
【図２】
0003130160.tif 000004